(57)【要約】【課題】ブラジャーを装着しなくてもよい衣類において、着用者の個人個人の体型によって異なる、さまざまなバスト形状の位置に、カップ部を上下左右に合わせて、任意にて調整することができる衣類を提供する。【解決手段】カップを上下左右に調整することができる機能をカップに付着する。【選択図】        図１
2004315978.tif 000002
【特許請求の範囲】
【請求項１】
ブラジャーを装着しなくてもよい衣類において、衣類の両肩に取り付けた、ダブルループ付きブラ止めに、ゼットカン及びボタンＣ型止め具により取り付けられた、左右カップの上部、及びバック調整ベルトに取り付けた、カップの位置を上下に調整するための機能が付属されたベルト、及びバックストラップ調整ベルト、及びバック調整ベルトと、前記左右カップの下部に連結させた、カップの位置を左右に調整するための機能が付属されたベルトとの効果により、前記カップが、上下、左右、前後の位置に、調整することが可能となり、個人個人のさまざまな体型に、カップ部を合わせることが可能となり、前記左右カップを、前記カップの位置を上下に調整するための機能が付属されたベルト、及びバックストラップ調整ベルトの、ループや止め具で装脱着できることを、特徴とする衣類。
【請求項２】
請求項１記載の衣類の前記左右カップ部を、前記カップの位置を上下に調整するための機能が付属されたベルト、及びバックストラップ調整ベルトの、ループや止め具にて、衣類と脱着ができる、カップ衣類。
【請求項３】
請求項２記載の、前記左右カップを、カップの位置を上下左右等に調整するための機能が付属された布（レース及びメッシュ及びマジックテープ（登録商標）及びトイクロス等を含む）に、マジックテープ（登録商標）やトイクロス等を、カップの表、もしくは裏、もしくは表裏に取り付けたもの、もしくはマジックテープ（登録商標）やトイクロス等のカップ、及びカップの一部が、マジックテープ（登録商標）やトイクロス等で構造された、前記左右カップ、及びサイド調整ベルトの効果により、上下、左右、前後の位置に、調整することができるカップが、付属されたカップ衣類。
【請求項４】
請求項３記載の、前記のカップの位置を上下左右等に調整するための機能が付属された布（レース及びメッシュ及びマジックテープ（登録商標）及びトイクロス等を含む）が、袋状になっており、同袋状部内にカップを挿入し、マジックテープ（登録商標）やトイクロス等を、カップの表、もしくは裏、もしくは表裏に取り付けたもの、もしくはマジックテープ（登録商標）やトイクロス等のカップ、及びカップの一部が、マジックテープ（登録商標）やトイクロス等で構造された、前記左右カップ、及びサイド調整ベルトの効果により、上下、左右、前後の位置に、調整することができる、袋状カップが付属された、カップ衣類。
【請求項５】
請求項３記載の衣類の、前記カップ取り付けの、カップの位置を上下左右等に調整するための機能が付属された布（レース及びメッシュ及びマジックテープ（登録商標）及びトイクロス等を含む）、及び請求項４記載の衣類の、前記カップ取り付けの、カップの位置を上下左右等に調整するための機能が付属された布（レース及びメッシュ及びマジックテープ（登録商標）及びトイクロス等を含む）を袋状にしたものを、前記衣類に固着（マジックテープ（登録商標）及びトイクロス等を含む）し、マジックテープ（登録商標）やトイクロス等を、カップの表、もしくは裏、もしくは表裏に取り付けたもの、もしくはマジックテープ（登録商標）やトイクロス等のカップ、及びカップの一部が、マジックテープ（登録商標）やトイクロス等で構造されたカップを、上下及び左右の位置に調整して、付着することができることを、特徴とする衣類。
【請求項６】
前記ループとは、別布のプロテクターを、ループに付属することを特徴とする、請求項１〜４記載のカップが付属された衣類。
【請求項７】
前記止め具は、ボタンＣ型止め具で、簡単にカップ衣類と、衣類との、装脱着が可能な特徴とする、請求項１〜４記載のカップ衣類と衣類。
【発明の詳細な説明】
【０００１】
【発明の属する技術分野】
本発明は、女性の衣類に付加された、内部構造（ブラジャー等を装着しなくてもすむカップの付いた衣類）に関するものである。
【０００２】
【従来の技術】
いわゆる、カップ付き衣類の従来例として、特開２０００−１４４５０３号公報や、特開２００２−３８３０８号公報の技術がある。このような従来例では、左右のカップの位置を調整することが不可能であり、固定されているため、着用者、個人個人の体型によって異なる、さまざまなバスト形状の位置に対して、左右に調整することが、不可能である。
【特許文献１】特開２０００−１４４５０３号公報
【特許文献２】特開２００２−３８３０８号公報
【０００３】
【発明が解決しようとする課題】
上記のようなカップ付き衣類では、着用者個人個人の体型によって異なる、さまざまなバスト形状の位置に対して、カップを左右に合わせるための調整が、全くできないため、左右が広がり気味、及び内側に寄り気味のバストには、強制的にバストを、カップに合わせることしかできないために、動作等を行えば、バストがカップ部分の左右、及び上下内側等からはみだしたりしてしまうため、着用者の体型や好みに応じての、カップの位置を、左右に調整することができないために、着用者に、不安定感や、不快感を、与える等の欠点があった。
【０００４】
そこで本発明は、カップが着用者個人個人の体型によって異なる、さまざまなバスト形状の位置に合わせて、調整をすることができるカップを、取り付けたカップ衣類を、提供することを目的とする。
【０００５】
【課題を解決するための手段】
上記課題を解決する手段として、本発明の実施の形態例は、ブラジャー等を装着しなくてもよい衣類において、衣類の両肩に取り付けた、ダブルループ付きブラ止めに、ゼットカン及びボタンＣ型止め具により、取り付けられた左右カップの上部、及びバック調整ベルトに取り付けた、カップの位置を上下に調整するための機能が付属されたベルト、及びバックストラップ調整ベルトと、前記左右カップの下部に連結させた、カップの位置を左右に調整するための機能が付属されたベルト、及びバック調整ベルトとの効果により、前記カップが上下、左右、前後の位置に、調整することができることにより、個人個人のさまざまな体型に、カップ部を合わせることが可能となり、前記左右カップを、前記カップの位置を上下に調整するための機能が付属されたベルト、及びバックストラップ調整ベルトの、ループや止め具で、装脱着できることを特徴とする。また、前記左右カップ部を、前記カップの位置を上下に調整するための機能が付属されたベルト、及びバックストラップ調整ベルトの、ループや止め具で、カップ衣類と衣類が、個人個人の使用用途に合わせ、脱着ができる衣類を、提供する。
【０００６】
本発明によれば、左右カップが、カップの位置を上下に調整するための機能が付属されたベルト、及びバックストラップ調整ベルトによって上下に、カップの位置を左右に調整するための機能が付属されたベルトによって左右に、バック調整ベルトによって前後に調整することができることにより、カップ部を着用者のバスト部の位置や、好みに合わせることが、可能となるために、カップ部の安定感があり、安心して着用することができる。
【０００７】
また、カップの位置を左右に調整するための機能が付属されたベルトの変わりに、マジックテープ（登録商標）やトイクロス等を使用した、本発明の実施の応用形態例は、左右カップを、カップの位置を上下左右等に調整するための機能が付属された布（レース及びメッシュ及びマジックテープ（登録商標）及びトイクロス等を含む）に、マジックテープ（登録商標）やトイクロス等をカップの表、もしくは裏、もしくは表裏に取り付けたもの、もしくはマジックテープ（登録商標）やトイクロス等のカップ、及びカップの一部が、マジックテープ（登録商標）やトイクロス等で構造された前記左右カップ、及びサイド調整ベルトの効果により、上下、左右、前後の位置に調整することができる、カップが付属された、カップ衣類を提供する。また、前記の、カップの位置を上下左右等に調整するための機能が付属された布（レース及びメッシュ及びマジックテープ（登録商標）及びトイクロス等を含む）が袋状になっており、同袋状部内にカップを挿入し、マジックテープ（登録商標）やトイクロス等を、カップの表、もしくは裏、もしくは表裏に取り付けたもの、もしくはマジックテープ（登録商標）やトイクロス等のカップ、及びカップの一部がマジックテープ（登録商標）やトイクロス等で構造された前記左右カップ、及びサイド調整ベルトの効果により、上下、左右、前後の位置に調整することができる、袋状カップが付属された、カップ衣類を提供する。
【０００８】
本発明によれば、左右カップが、カップの位置を上下に調整するための機能が付属されたベルト、及びサイド調整ベルトによって、上下及び前後に、マジックテープ（登録商標）やトイクロス等によって、上下及び左右に調整することが可能であり、着用者のバスト部の位置や好みにカップ部を合わせて付着することが、可能となるために、カップ部の安定感があり、安心して着用できる。
【０００９】
また、さらに、マジックテープ（登録商標）やトイクロス等の特徴を生かした、本発明の実施の応用形態例は、左右カップ取り付けの、カップの位置を上下左右等に調整するための機能が付属された布（レース及びメッシュ及びマジックテープ（登録商標）及びトイクロス等を含む）、及び左右カップ取り付けの、カップの位置を上下左右等に調整するための機能が付属された布（レース及びメッシュ及びマジックテープ（登録商標）及びトイクロス等を含む）を袋状にしたものを衣類に付着（マジックテープ（登録商標）及びトイクロス及び接着及び縫製等を含む）し、マジックテープ（登録商標）やトイクロス等を、カップの表、もしくは裏、もしくは表裏に取り付けたもの、もしくはマジックテープ（登録商標）やトイクロス等のカップ、及びカップの一部がマジックテープ（登録商標）やトイクロス等で構造されたカップの使用により、上下及び左右の位置に調整ができることを、特徴とする衣類を提供する。
【００１０】
本発明によれば、マジックテープ（登録商標）及びトイクロス等によって、上下及び左右に調整することが可能であり、着用者のバスト部の位置に、カップ部を合わせて付着することが可能となるために、カップ部の安定感があり、安心して着用できる。
【００１１】
本発明に係る衣類において、ループは、別布のプロテクターを、ループに付属することにより、ゼットカンやボタンＣ型止め具等が、肌に直接当たることを防止できる。だが、衣類の特徴によっては、同衣類の特徴を損なわないために、ループのみを使用する場合もある。
【００１２】
本発明に係る衣類においての、ボタンＣ型止め具は、カップ衣類と衣類との装脱着が、簡単にできる。
【００１３】
なお、本発明でいうカップとは、乳房の形状を備え、乳房を受ける構造を備えたものであり、パッド機能を備えた厚手の物や、ワイヤーを付属したもの等すべてを、含むものとする。また、カップの素材については、従来使用されている素材、及びマジックテープ（登録商標）やトイクロス等のような着脱可能な素材等も、含むものとする。
【００１４】
【発明の実施の形態】
以下、添付図面を参照して、本発明の実施形態を説明するが、本発明は、これらに限定されるものではなく、衣類の形状、及び着用者が快適に着用できるようにするために、今回の図面にて、提示したパーツの組み合わせを、可能としたものを、すべて含むものとする。
【００１５】
図１は、本発明の実施の形態のひとつである衣類の、肌側から見た斜視図、図２は図１の一部を、拡大した図である。図１に示す通り衣類は、前身頃１ａと、後身頃１ｂとを、縫い合わせて、半袖Ｔシャツとしたデザインを備えている。
【００１６】
前身頃１ａは、内側（肌側）のバスト部に、左右カップ２が備えている。左右カップ２の上部と、カップの位置を上下に調整するための機能が付属されたベルト３ａは、連結部１２で装着されている。連結部１２は、左右カップ２の上部に固着した、プロテクター付きループ４７と、ボタンＣ型止め具５１と、カップの位置を上下に調整するための機能が付属されたベルト３ａとで、構成されている。図３５は、連結部１２を拡大して示した部分平面図であり、図３６は図３５の、裏面の実施形態図である。
【００１７】
上記連結部１２は、図３６に示すように、カップ２の上部に固着されたプロテクター付きループ４７（図２２参照）に、ボタンＣ型止め具５１（図３０、図３１参照）の、ゼットカン５を挿入して固定し、ボタンＣ型止め具５１のボタン３１を、カップの位置を上下に調整するための機能が付属されたベルト３ａの端部の、ボタンホール３０にかけることにより、長さの調整が可能で、さらに装脱着が、簡単にできる構造としている。また、カップの位置を上下に調整するための機能が付属されたベルト３ａは、エイトカン８と、止め具９を付属しており、エイトカン８によっても、長さ調整が可能である。従って、カップの位置を上下に調整するための機能が付属されたベルト３ａ端部の、ボタンホール３０の位置を変更して、距離を調整することにより、また、カップの位置を上下に調整するための機能が付属されたベルト３ａに、付属するエイトカン８によって、距離を調整することにより、前記カップ２と、前記カップの位置を上下に調整するための機能が付属されたベルト３ａの距離、即ちカップの上下を、着用者の個人個人の体型によって異なる、さまざまなバスト形状の位置にカップ部を上下に合わせて、任意にて調整することができる。
【００１８】
図２２に示すプロテクター付きループ４７は、図２１に示すループ７と、別布から構成されている。ループ７を輪状に縫着する際に、別布も、同時に縫着して、取り付けしている。別布を、プロテクターとして付属することにより、ゼットカンやボタンＣ型止め具等が、肌に直接当たることを防止できることにより、止め具等によるアレルギーなどを、やわらげることが可能となる。
【００１９】
図３０に示す、ボタンＣ型止め具５１は、ボタン３１を連結部５５にて連結した、ゼットカン５から構成されている。図３１は、図３０の裏面の実施形態を示した図であり、ボタン３１に縫着した、連結部５５は、ゼットカン５のリング状部分を通って、折り返した後、ボタン３１に付着されている。連結部材の素材は特に限定されず、布やビニール等を使用することがある。ボタンＣ型止め具を使用することによって、従来のゼットカンとループによる装脱着よりも、簡単に装脱着が可能となる。
【００２０】
カップの位置を上下に調整するための機能が付属されたベルト３ａは、前身頃１ａの両肩部に取り付けた、ダブルループ付きブラ止め１０に連結されている。また、ダブルループ付きブラ止め１０は、バックストラップ調整ベルト３ｂとも連結されており、バックストラップ調整ベルト３ｂは、バック調整ベルト４と、止め具９によって固定されている。連結部となるダブルループ付きブラ止め１０は、図２７が示すように、ブラ止めの内部に、ループ７が上下二つ内蔵されており、上部ループ７は、バックストラップ調整ベルト３ｂ端部に付着された、ゼットカン５を挿入して固定できる。また、下部ループ７は、カップの位置を上下に調整するための機能が付属されたベルト３ａ端部に付着された、ゼットカン５を挿入して固定できる。従って、バックストラップ調整ベルト３ｂ、カップの位置を上下に調整するための機能が付属されたベルト３ａは、ゼットカン５によって装脱着が可能である。
【００２１】
また、バックストラップ調整ベルト３ｂは、エイトカン８と、エイトカンプロテクター５６（図４０、図４１参照）と、止め具９を付属しており、エイトカン８により、長さの調整が可能である。従って、バックストラップ調整ベルト３ｂに付属する、エイトカン８によって距離を調整することにより、着用時に身体に沿う方向の長さを任意に調整できる。
【００２２】
上記エイトカンプロテクター５６は、図４０に示すように、エイトカンプロテクター５６を拡大して示した、部分平面図であり、図４１は、図４０の裏面図である。エイトカンプロテクター５６は、エイトカン８に通っている、バックストラップ調整ベルト３ｂに別布を付属することにより、エイトカン８が、肌に直接当たることを防止できることにより、アレルギー等をやわらげることが、可能である。
【００２３】
左右カップ２の下部と、カップの位置を左右に調整するための機能が付属されたベルト６は、連結部１１で装着されている。連結部１１は、カップの位置を左右に調整するベルト６と、止め具９と、ループ７にて付着し、左右カップ２の下部のエイトカン８と、止め具９により、長さの調整が可能な構造としている。従って、左カップ２と右カップ２の距離、即ちカップの左右の距離を、着用者の個人個人の体型によって異なる、さまざまなバストの形状の位置にカップ部を左右に合わせて、任意にて調整することができる。
【００２４】
左右連結部１１の端部を、ループ７と止め具９により、バック調整ベルト４が装着されている。バック調整ベルト４は、エイトカン８を付属しており、エイトカン８により、長さの調整が可能である。従って、バック調整ベルト４に付属するエイトカン８によって距離を調整することにより、着用者の着用時に、カップが身体に沿う方向の長さを、任意にて調整することができる。
【００２５】
以上説明した様に、図１、２に示した本発明は、着用者、個人個人の体型によって異なる、さまざまなバスト部の位置に合わせて、調整をすることができるカップを取り付けした衣類を提供できる。しかも、カップの位置を左右に調整するための機能が付属されたベルト６、カップの位置を上下に調整するための機能が付属されたベルト３ａ、バックストラップ調整ベルト３ｂ、バック調整ベルト４において、身体へのフィット状態、及びカップの位置を、個人個人のさまざまな好み、及び体型に合わせて調整することができ、かつカップ部の配置が変動しにくいために、安定感が得られる。また、カップの位置を上下に調整するための機能が付属されたベルト３ａ、バックストラップ調整ベルト３ｂ付着ゼットカン５によって、装脱着が可能であり、カップ衣類が不要の際には、取り外しができる。
【００２６】
次に図３は、本発明の衣類の、実施の応用形態例を、肌側から見た斜視図である。図３に示す衣類は、前身頃１ａと後身頃１ｂとを縫い合わせて、キャミソールとしたデザインを備えている。尚、図３においては、肩紐の一部を、省略して図示している。
【００２７】
図３に示した衣類は、図１に示した衣類と同一の要素には同一の符号を付し、重複する説明を省略する。
【００２８】
前身頃１ａは、内側（肌側）のバスト部に、左右カップ２が備えている。図３に示した衣類と、図１に示した衣類との異なる点は、第一に、左右カップ２の上部と、カップの位置を上下に調整するための機能が付属されたベルト１３が、ループ７と止め具９で装着されていること、第二に、カップの位置を上下に調整するための機能が付属されたベルト１３が、前身頃１ａの両肩部に取り付けた、ループ７と一体型ボタンＣ型止め具５２で、装着されていること、第三に、バックストラップ調整ベルト１４が、後身頃１ｂ両肩部に取り付けた、ループ７と一体型ボタンＣ型止め具５２で装着されていることの３点である。
【００２９】
カップの位置を上下に調整するための機能が付属されたベルト１３は、左右カップ２の上部に固着された、ループ７に止め具９で固定されており、エイトカン８を付属している。エイトカン８と止め具９により、長さの調整が可能である。従って、カップの位置を上下に調整するための機能が付属されたベルト１３に付属する、エイトカン８によって、距離を調整することにより、着用者の個人個人の体型によって異なる、さまざまなバスト形状の位置にカップ部を上下に合わせて、任意にて調整することができる。
【００３０】
また、カップの位置を上下に調整するための機能が付属されたベルト１３は、前身頃１ａの両肩部に取り付けたループ７に、一体型ボタンＣ型止め具５２（図３２、図３３、図３４参照）を、挿入して固定し、一体型ボタンＣ型止め具５２のボタン部を、カップの位置を上下に調整するための機能が付属されたベルト１３の端部の、ボタンホール３０にかけることにより、長さの調整が可能な構造としており、ループ７、及び一体型ボタンＣ型止め具５２、及びカップの位置を上下に調整するための機能が付属されたベルト１３のボタンホール３０により、装脱着が可能である。従って、カップの位置を上下に調整するための機能が付属されたベルト１３の、ボタンホール３０の位置を変更して、距離を調整することにより、着用者の個人個人の体型によって異なる、さまざまなバスト形状の位置にカップ部を上下に合わせて、任意にて調整することができる。
【００３１】
上記の一体型ボタンＣ型止め具５２は、図３２、図３３、図３４にて示した。図３２は、一体型ボタンＣ型止め具５２の正面図であり、図３３は、一体型ボタンＣ型止め具５２の裏面を示した図、図３４は、一体型ボタンＣ型止め具５２の側面図ある。
【００３２】
一体型ボタンＣ型止め具５２は、ボタンＣ型止め具５１が、一体型となっている。一体型ボタンＣ型止め具５２の素材は、プラスチック、金属、セラミックス、木材、その他の固形物などからなっている。成形が容易であること、安価であること、肌に触れる際の着用感などから、プラスチックが好ましい。また、一体型ボタンＣ型止め具５２の形状は、図示したものにのみ、限定されるものではなく、ほぼ同様の原理を用いていれば、他の形状のものでもよい。
【００３３】
バックストラップ調整ベルト１４は、後身頃１ｂの両肩部に取り付けた、ループ７と一体型ボタンＣ型止め具５２によって、バックストラップ調整ベルト１４の、ボタンホール３０と装着されている。ループ７に、バックストラップ調整ベルト１４の端部に付着した、一体型ボタンＣ型止め具５２を挿入して固定し、一体型ボタンＣ型止め具５２のボタン部を、バックストラップ調整ベルト１４の端部の、ボタンホール３０にかけることにより、長さ調整が可能な構造としており、ループ７、及び一体型ボタンＣ型止め具５２、及び  バックストラップ調整ベルト１４のボタンホール３０により、装脱着が可能である。また、バックストラップ調整ベルト１４は、エイトカン８と止め具９を付属しており、エイトカン８により、長さの調整が可能である。従って、バックストラップ調整ベルト１４に付属するエイトカン８によって、距離を調整することにより、着用時に身体に沿う方向の長さを、任意にて調整することができる。
【００３４】
図３に示した本発明の衣類も、図１に示した本発明の衣類と同様に、着用者個人個人のさまざまなバスト部の位置に合わせて、調整をすることができるカップを取り付けした衣類を提供できる。しかも、カップの位置を左右に調整するための機能が付属されたベルト６、  カップの位置を上下に調整するための機能が付属されたベルト１３、バック調整ベルト４、バックストラップ調整ベルト１４において、身体へのフィット状態、及びカップの位置を個人個人のさまざまな好み、及び体型に合わせて、カップの位置を調整することができ、かつカップ部の配置が変動しにくいため、安定感が得られる。また、カップの位置を上下に調整するための機能が付属されたベルト１３、及びバックストラップ調整ベルト１４に付着の一体型ボタンＣ型止め具５２によって、装脱着が可能であり、カップ衣類が不要の際には、取り外しができる。
【００３５】
次に図４は、図１〜３の本発明の衣類の、カップの位置を左右に調整するための機能が付属されたベルトの変わりに、マジックテープ（登録商標）やトイクロス等を使用した、実施の応用形態例を、肌側から見た斜視図である。図４に示す衣類は、前身頃１ａと後身頃１ｂとを縫い合わせてタンクトップとしたデザインを備えている。
【００３６】
前身頃１ａは、内側（肌側）のバスト部に、カップの位置を上下左右等に調整するための機能が付属された布１５（レース及びメッシュ及びマジックテープ（登録商標）及びトイクロス等を含む）を備えている。カップの位置を上下左右等に調整するための機能が付属された布１５（レース及びメッシュ及びマジックテープ（登録商標）及びトイクロス等を含む）は、マジックテープ（登録商標）やトイクロス等を、カップの表、もしくは裏、もしくは表裏に取り付けたもの、もしくはマジックテープ（登録商標）やトイクロス等のカップ、及びカップの一部がマジックテープ（登録商標）やトイクロス等で構造された左右カップ２が、装着されている。左右カップ２は、取り付けたマジックテープ（登録商標）やトイクロス等で、カップの位置を上下左右等に調整するための機能が付属された布１５（レース及びメッシュ及びマジックテープ（登録商標）及びトイクロス等を含む）と、接合部２１で脱着させることにより、上下及び左右の位置に調整することができる。
【００３７】
カップの位置を上下左右等に調整するための機能が付属された布１５（レース及びメッシュ及びマジックテープ（登録商標）及びトイクロス等を含む）は、上部に固着されたループ７に、カップの位置を上下に調整するための機能が付属されたベルト１３の、止め具９によって装着されており、エイトカン８を付属している。エイトカン８と止め具９により、長さ調整が可能である。従って、カップの位置を上下に調整するための機能が付属されたベルト１３に付属するエイトカン８によって、距離を調整することにより、着用者のバスト部の、好みの上下の位置に合わせ、長さを任意にて調整することができる。
【００３８】
また、カップの位置を上下に調整するための機能が付属されたベルト１３は、前身頃１ａの両肩部に取り付けた、ループ付きブラ止め４９（図２６参照）に連結されている。連結部は、両肩部に取り付けた、ループ付きブラ止め４９と、ボタンＣ型止め具５１と、カップの位置を上下に調整するための機能が付属されたベルト１３とで構成されている。ループ付きブラ止め４９のループ７に、ボタンＣ型止め具５１のゼットカン５１を挿入して固定し、ボタンＣ型止め具５１のボタン３１を、カップの位置を上下に調整するための機能が付属されたベルト１３の端部の、ボタンホール３０にかけることにより、長さ調整が可能な構造としており、装脱着が可能である。従って、カップの位置を上下に調整するための機能が付属されたベルト１３の、ボタンホール３０の位置を変更して距離を調整することにより、カップの位置を上下左右等に調整するための機能が付属された布１５（レース及びメッシュ及びマジックテープ（登録商標）及びトイクロス等を含む）と、カップの位置を上下に調整するための機能が付属されたベルト１３の距離、即ちカップの上下を、着用者の個人個人の体型によって異なる、さまざまなバスト形状の位置にカップの上下を合わせて、任意にて調整することができる。
【００３９】
カップの位置を上下左右等に調整するための機能が付属された布１５（レース及びメッシュ及びマジックテープ（登録商標）及びトイクロス等を含む）は、左右両側に取り付けた、ループ７と止め具９とによって取り付けられた、サイド調整ベルト１６、１７（図１９、図２０参照）によって、取り付け及び取り外しが可能となる。図１９に示す、サイド調整ベルト１７の端部には、雄型ホック１８が付着しており、図２０に示す、サイド調整ベルト１６の端部に付着する複数の雌型ホック１９を係合させることにより、装着される。この時、雌型ホック１９の選択によって、長さ調整が可能である。また、サイド調整ベルト１６、１７に付属されている、エイトカン８と止め具９によっても、長さの調整が可能である。従って、サイド調整ベルト１６、１７に付着するホック１８、１９、及びエイトカン８によって、距離を調整することにより、着用時に身体に沿う方向の長さを、任意にて調整することができる。
【００４０】
図４に示した本発明の衣類も、図１に示した本発明の衣類と同様に、着用者、個人個人の体型によって異なる、さまざまなバスト部の位置に合わせて、調整をすることができるカップを、取り付けした衣類を提供できる。しかも、サイド調整ベルト１６、１７、及びカップの位置を上下左右等に調整するための機能が付属された布１５、及びカップの位置を上下に調整するための機能が付属されたベルト１３において、身体へのフィット状態、及びカップの位置を個人個人のさまざまな好み、及び体型に合わせて調整することができ、かつカップ部の配置が変動しにくいため、安定感が得られる。また、カップの位置を上下に調整するための機能が付属されたベルト１３に付着の、ボタンＣ型止め具５１によって、装脱着が可能であり、カップ衣類が不要の際には、取り外しができる。
【００４１】
次に図５は、図４の本発明の衣類のカップの位置を上下左右等に調整するための機能が付属された布１５（レース及びメッシュ及びマジックテープ（登録商標）及びトイクロス等を含む）を袋状にした、実施の応用形態例を、肌側から見た斜視図である。図５に示す衣類は、前身頃１ａと後身頃１ｂとを縫い合わせて、長袖Ｔシャツとしたデザインを備えている。
【００４２】
図５に示した衣類は、図４に示した衣類と同一の要素には同一の符号を付し、重複する説明を省略する。
【００４３】
図５に示した衣類と、図４に示した衣類との異なる点は、第一にバスト部の、カップの位置を、上下左右等に調整するための機能が付属された布１５（レース及びメッシュ及びマジックテープ（登録商標）及びトイクロス等を含む）が袋状になっており、すなわちカップの位置を上下左右等に調整するための機能が付属された袋２０と、なっていること、及び第二に、カップの位置を上下左右等に調整するための機能が付属された袋２０の上部に装着した、カップ及びカップ袋の位置を上下に調整するための機能が付属されたベルト２４が、サイド調整ベルト１６、１７に連結していることである。
【００４４】
カップの位置を上下左右等に調整するための機能が付属された袋２０は、袋状になっており、左右カップ２を、出し入れするための開口部２２が、カップの位置を上下左右等に調整するための機能が付属された袋２０の、左右上部に形成されており、マジックテープ（登録商標）やトイクロス等をカップの表、もしくは裏、もしくは表裏に取り付けたもの、もしくはマジックテープ（登録商標）やトイクロス等のカップ、及びカップの一部が、マジックテープ（登録商標）やトイクロス等で構造された、左右カップ２を備えている。左右カップ２は、カップの位置を上下左右等に調整するための機能が付属された袋２０の内部に取り付けた、マジックテープ（登録商標）やトイクロス等の接合部２１に付着させることにより、着用者の好みの位置及び体型に合わせて、上下及び左右の位置にて調整することができる。
【００４５】
カップの位置を上下左右等に調整するための機能が付属された袋２０は、カップの位置を上下左右等に調整するための機能が付属された袋２０の上部に固着された、ループ７と止め具９によって、カップ及びカップ袋の位置を上下に調整するための機能が付属されたベルト２４が、装着されている。カップ及びカップ袋の位置を上下に調整するための機能が付属されたベルト２４は、ブラ止め５０（図２４参照）を通って、サイド調整ベルト１６、１７に、ループ７と止め具９によって装着されている。
【００４６】
また、カップ及びカップ袋の位置を上下に調整するための機能が付属されたベルト２４は、エイトカン８と止め具９を付属している。エイトカン８と止め具９により、ベルトの長さ調整が可能である。従って、カップ及びカップ袋の位置を上下に調整するための機能が付属されたベルト２４に付属する、エイトカン８によって、距離を調整することにより、着用者の、個人個人の体型によって異なる、さまざまなバスト形状に合わせて、カップの位置を上下に、任意にて調整することができる。
【００４７】
次に図６は、本発明の衣類のマジックテープ（登録商標）やトイクロス等の特徴を生かした、実施の応用形態例を肌側から見た斜視図である。図６に示す衣類は、前身頃１ａと後身頃１ｂとを縫い合わせてタンクトップとしたデザインを備えている。
【００４８】
前身頃１ａは、内側（肌側）のバスト部に、カップの位置を上下左右等に調整するための機能が付属された布１５（レース及びメッシュ及びマジックテープ（登録商標）及びトイクロス等を含む）を、袋状に取り付けし、開口部２２が上部に形成された、カップ調整袋部５３（レース及びメッシュ及びマジックテープ（登録商標）及びトイクロス等を含む）に、マジックテープ（登録商標）やトイクロス等を、カップの表、もしくは裏、もしくは表裏に取り付けたもの、もしくはマジックテープ（登録商標）やトイクロス等のカップ、及びカップの一部がマジックテープ（登録商標）やトイクロス等で構造された左右カップ２を、カップ調整袋５３（レース及びメッシュ及びマジックテープ（登録商標）及びトイクロス等を含む）の、開口部２２により、取り付けさせることにより、着用者の、好みの位置、及び体型に合わせて、上下及び左右の位置にて、調整することができる。
【００４９】
図６に示した本発明の衣類は、着用者個人個人のさまざまなバスト部の位置に、マジックテープ（登録商標）及びトイクロス等によって、上下及び左右にカップの調整、及び付着することが可能であり、カップ部の安定感があるために、安心して着用できるカップを取り付けした衣類を、提供できる。
【００５０】
なお、図６では、袋状のカップ袋を、例にとって説明したが、これに限らず、本発明に係るカップ部は、別布にカップを装着したもの、前身頃本体にカップを装着したもの等、カップが装着できるものであれば、特に限定されるものではない。
【００５１】
また、図４、図５、図６では、左右カップは分離した形状を例にとって説明したが、これに限らず、本発明に係るカップは、左右カップが連結されたカップ等を含み、特に限定されるものではない。
【００５２】
次に図７は、本発明の衣類のさらに実施の応用形態例を、肌側から見た斜視図である。図７に示す衣類は、前身頃１ａと後身頃１ｂとを縫い合わせて、タンクトップとしたデザインを備えている。
【００５３】
図７に示した衣類は、図４に示した衣類と、同一の要素には、同一の符号を付し、重複する説明を省略する。
【００５４】
図７に示した衣類と、図４に示した衣類との、異なる点は、第一にバスト部の、カップの位置を上下左右等に調整するための機能が付属された布１５（レース及びメッシュ及びマジックテープ（登録商標）及びトイクロス等を含む）が、袋状のカップの位置を上下左右等に調整するための機能が付属された袋２５になっていること、及び、第二に、カップの位置を上下左右等に調整するための機能が付属された袋２５と、連結した調整ベルト２６が、装脱着できること、第三に調整ベルト２６が、一つになっていることの３点である。
【００５５】
カップの位置を上下左右等に調整するための機能が付属された袋２５は、袋状になっており、左右カップ２を出し入れするための開口部２２が、カップの位置を上下左右等に調整するための機能が付属された袋２５の左右端部に形成されており、マジックテープ（登録商標）やトイクロス等を、カップの表、もしくは裏、もしくは表裏に取り付けたもの、もしくはマジックテープ（登録商標）やトイクロス等のカップ、及びカップの一部がマジックテープ（登録商標）やトイクロス等で構造された、左右カップ２が備えている。カップ２は、カップの位置を上下左右等に調整するための機能が付属された袋２５の内部に取り付けた、マジックテープ（登録商標）やトイクロス等の接合部２１に、装脱着させることにより、着用者の好みの位置及び体型に合わせて、上下及び左右の位置にて、カップを調整して付着することができる。
【００５６】
カップの位置を上下左右等に調整するための機能が付属された袋２５は、調整ベルト２６と、連結部１２で装着されている。連結部１２は、カップの位置を上下左右等に調整するための機能が付属された袋２５の、左右両側に固着した、プロテクター付きループ４７とゼットカン５（図２８参照）とで構成されている。図２９は、連結部１２を拡大した裏面の実施形態図である。
【００５７】
上記連結部１２は、図２９が示すように、カップの位置を上下左右等に調整するための機能が付属された袋２５の、左右両側に固着されたプロテクター付きループ４７に、ゼットカン５を挿入して固定しているため、調整ベルト２６の両端にある、カップの位置を上下左右等に調整するための機能が付属された袋２５の、プロテクター付きループ４７と、調整ベルト２６は装脱着が可能である。
【００５８】
調整ベルト２６は、エイトカン８を付属している。エイトカン８により、長さの調整が可能である。従って、調整ベルト２６に付属するエイトカン８によって、距離を調整することにより、カップの前後の位置を、着用時に、着用者の身体に沿う方向の長さに任意にて、調整することができる。
【００５９】
なお、図１〜７では、半袖Ｔシャツ、キャミソール、タンクトップ、長袖Ｔシャツの衣類を例にとって、衣類とカップ衣類の説明をしたが、本発明はこれらに、特に限定されるものではなく、衣類の特徴によっては、衣類及びカップ衣類の特徴を損なわないために、本発明のさまざまな仕様のパーツを組み合わせることの、すべてを特許請求の範囲内に含まれるものである。
【００６０】
本発明において、図１〜７では、ループ７を仕様としているが、これに限定されるものではなく、別布のプロテクターを付属した、プロテクター付きループ４７を代用とする仕様にしても可能である。
【００６１】
本発明において、図１〜７での連結部においては、連結パーツ（ゼットカン５、ループ７、エイトカン８、止め具９、雄型ホック１８、雌型ホック１９、ボタンホール３０、ボタン３１、ボタンＣ型止め具５１、一体型ボタンＣ型止め具５２）を仕様として付着しているが、これらに限定されるものではなく、衣類及びカップ衣類の特徴を損なわないために、付着やボタン止めや接着等の仕様にして付着することも可能である。
【００６２】
本発明において、図１〜３では、カップの位置を左右に調整するための機能が付属されたベルト６は、エイトカン８と止め具９によって長さの調整が可能となる構造としているが、これに限定されるものではなく、図８〜１２に示すような構造のパーツにより調整が可能であるものを、衣類及びカップ衣類の特徴を損なわないために仕様することも可能である。また、図１３に示すような仕様も可能である。いずれの場合にも、図１〜３の実施形態と同様のような作用、効果を奏する。
【００６３】
本発明において、図１〜３のバック部のバック調整ベルト４と、図１、図２のバックストラップ調整ベルト３ｂ、及び図３のバックストラップ調整ベルト１４との連結部は、限定されるものではなく、図１４〜１７に示すような仕様も可能である。また、図１８に示すような仕様も可能である。いずれの場合にも、図１〜３の実施形態と同様のような作用、効果を奏する。
【００６４】
本発明において、図１〜４、図７にて仕様しているボタンＣ型止め具５１、及び一体型ボタンＣ型止め具５２等に接合している、ボタンホール３０においては、衣類本体の素材等により、ボタンの形状が衣類本体の表側に突出するものを、やわらげるため、及び見た目や特徴を損なわないために、図３７〜３９に示すような、袋ボタンホール付き調整するための機能が付属されたベルト５４を仕様することも可能である。
【００６５】
本発明において、図２４のブラ止め５０を付着する衣類においては、衣類及びカップ衣類の特徴を損なわないために図２３、図２５、図２６、図２７に示すようなパーツを、仕様することも可能である。
【００６６】
本発明において、図４０に仕様されている、エイトカンプロテクター５６は、衣類及びカップ衣類の特徴を損なわないため、及びエイトカン８等が肌に直接当たることによりおきる、アレルギー等をやわらげることを目的として図４２、図４３に示すような、袋状エイトカンプロテクター５７を仕様することも可能である。
【００６７】
本発明においての各調整ベルトの素材においては、衣類及びカップ衣類の特徴を損なわないため、及び着用者が快適に着用できるように伸縮性のあるもの等、及び伸縮性のないもの等を仕様することも可能である。
【００６８】
【発明の効果】
以上説明した通りにより、本発明の衣類は着用者の個人個人の体型によって異なるバスト形状の位置にカップを調整にて合わせることができる。さらに止め具等にプロテクターを付着することにより、止め具と肌が接触することによりおこるアレルギー等をやわらげることができる。
【図面の簡単な説明】
【図１】本発明の実施の形態のひとつである衣類の肌側から見た斜視図である。
【図２】図１の一部を拡大した図である。
【図３】本発明の実施の応用形態例を肌側から見た斜視図である。
【図４】図１〜３の本発明の衣類のカップの位置を左右に調整するための機能が付属されたベルトの変わりにマジックテープ（登録商標）やトイクロス等を使用した実施の応用形態例を肌側から見た斜視図である。
【図５】図４の本発明の衣類のカップの位置を上下左右等に調整するための機能が付属された布１５（レース及びメッシュ及びマジックテープ（登録商標）及びトイクロス等を含む）を袋状にした実施の応用形態例を肌側から見た斜視図である。
【図６】本発明の衣類のマジックテープ（登録商標）やトイクロス等の特徴を生かした実施の応用形態例を肌側から見た斜視図である。
【図７】本発明の衣類のさらに実施の応用形態例を肌側から見た斜視図である。
【図８】フロントカップの左右の位置調整をホックによって行う機能を示したものである。
【図９】フロントカップの左右の位置調整をボタンによって行う機能を示したものである。
【図１０】フロントカップの左右の位置調整をボタンによって行う機能を示したものである。
【図１１】フロントカップの左右の位置調整をマジックテープ（登録商標）によって行う機能を示したものである。
【図１２】フロントカップの左右の位置調整を接着剤によって行う機能を示したものである。
【図１３】フロントカップの位置を調整する機能が付属されたベルトを複数使用したものを示したものである。
【図１４】バックベルト部にカップからのストラップを調整する機能が付属されたベルトをクロスして取り付けた図である。
【図１５】バックベルト部に布地及びループを設置し、フロントカップからのストラップを調整する機能が付属されたベルトを取り付けた図である。
【図１６】バックベルト部のループを一箇所に設置し、フロントカップからきたストラップを調整する機能が付属されたベルトをＶ字型に取り付けた図である。
【図１７】バックベルト部のループを一箇所に設置し、フロントカップからきたストラップを調整する機能が付属されたベルトをＶ字型に取り付けた図である。
【図１８】フロントの右カップ部から出ているストラップを調整する機能が付属されたベルトを、フロントの左カップ部に連結させ、首部分にて取り付けた図である。
【図１９】サイド調整ベルト１７の先端部分の雄型ホック１９の拡大図である。
【図２０】サイド調整ベルト１６の先端部分の雌型ホック１８の拡大図である。
【図２１】ループ７の拡大図である。
【図２２】プロテクター付きループ４７の拡大図である。
【図２３】ストラップループ５８の拡大図である。
【図２４】ブラ止め５０の拡大図である。
【図２５】ブラ止め内蔵型ブラ止め４８の拡大図である。
【図２６】ループ付きブラ止め４９の拡大図である。
【図２７】ダブルループ付きブラ止め１０の拡大図である。
【図２８】ゼットカン５の拡大図である。
【図２９】ゼットカン５とプロテクター付きループ４７を連結させた図である。
【図３０】ボタンＣ型止め具５１の拡大図である。
【図３１】図３０の裏面図である。
【図３２】一体型ボタンＣ型止め具５２の拡大図である。
【図３３】図３２の裏面図である。
【図３４】図３２の側面図である。
【図３５】プロテクター付きループとボタンＣ型止め具の連結部１２の拡大図である。
【図３６】図３５の裏面図である。
【図３７】袋ボタンホール付きカップの位置を調整するための機能が付属されたベルト５４の拡大図である。
【図３８】図３７の裏面図である。
【図３９】図３７の側面図である。
【図４０】エイトカンプロテクター５６の拡大図である。
【図４１】図４０の裏面図である。
【図４２】袋状エイトカンプロテクター５７の透視図である。
【図４３】袋状エイトカンプロテクター５７の拡大図である。
【符号の説明】
１ａ  前身頃
１ｂ  後身頃
２  カップ
３ａ  カップの位置を上下に調整するための機能が付属されたベルト
３ｂ  バックストラップ調整ベルト
４  バック調整ベルト
５  ゼットカン
６  カップの位置を左右に調整するための機能が付属されたベルト
７  ループ
８  エイトカン
９  止め具
１０  ダブルループ付きブラ止め
１１  連結部
１２  プロテクター付きループとボタンＣ型止め具の連結部
１３  カップの位置を上下に調整するための機能が付属されたベルト
１４  バックストラップ調整ベルト
１５  カップの位置を上下左右等に調整するための機能が付属された布  １６  サイド調整ベルト
１７  サイド調整ベルト
１８  雄型ホック
１９  雌型ホック
２０  カップの位置を上下左右等に調整するための機能が付属された袋
２１  マジックテープ（登録商標）の接合部の一例
２２  カップ挿入口
２３  ブラ止め
２４  カップ及びカップ袋の位置を上下に調整するための機能が付属されたベルト
２５  カップの位置を上下左右等に調整するための機能が付属された袋
２６  調整ベルト
２７  ホックメス
２８  ホックオス
２９  連結部
３０  ボタンホール
３１  ボタン
３２  連結部
３３  連結部
３４  マジックテープ（登録商標）オス
３５  マジックテープ（登録商標）メス
３６  連結部
３７  接着剤による接着
３８  連結部
３９  カップの位置を上下に調整するための機能が付属されたベルト
４０  カップの位置を左右に調整するための機能が付属されたベルト
４１  カップの位置を左右に調整するための機能が付属されたベルト
４２  バックベルト部に布地及びループを設置し、フロントカップからのストラップを調整する機能が付属された布付きバックベルト
４３  フロントカップからきたストラップを調整する機能が付属されたＹ字型のベルト
４４  バックベルト部
４５  フロントカップからきたストラップを調整する機能が付属されたＶ字型のベルト
４６  カップの位置を上下に調整するための機能が付属されたベルト
４７  プロテクター付きループ
４８  ブラ止め内蔵型ブラ止め
４９  ループ付きブラ止め
５０  ブラ止め
５１  ボタンＣ型止め具
５２  一体型ボタンＣ型止め具
５３  カップの位置を上下左右等に調整するための機能が付属された袋部
５４  袋ボタンホール付きカップの位置を調整するための機能が付属されたベルト
５５  連結部
５６  エイトカンプロテクター
５７  袋状エイトカンプロテクター
５８  ストラップループ
【図１】
2004315978.tif 000003
【図２】
2004315978.tif 000004
【図３】
2004315978.tif 000005
【図４】
2004315978.tif 000006
【図５】
2004315978.tif 000007
【図６】
2004315978.tif 000008
【図７】
2004315978.tif 000009
【図８】
2004315978.tif 000010
【図９】
2004315978.tif 000011
【図１０】
2004315978.tif 000012
【図１１】
2004315978.tif 000013
【図１２】
2004315978.tif 000014
【図１３】
2004315978.tif 000015
【図１４】
2004315978.tif 000016
【図１５】
2004315978.tif 000017
【図１６】
2004315978.tif 000018
【図１７】
2004315978.tif 000019
【図１８】
2004315978.tif 000020
【図１９】
2004315978.tif 000021
【図２０】
2004315978.tif 000022
【図２１】
2004315978.tif 000023
【図２２】
2004315978.tif 000024
【図２３】
2004315978.tif 000025
【図２４】
2004315978.tif 000026
【図２５】
2004315978.tif 000027
【図２６】
2004315978.tif 000028
【図２７】
2004315978.tif 000029
【図２８】
2004315978.tif 000030
【図２９】
2004315978.tif 000031
【図３０】
2004315978.tif 000032
【図３１】
2004315978.tif 000033
【図３２】
2004315978.tif 000034
【図３３】
2004315978.tif 000035
【図３４】
2004315978.tif 000036
【図３５】
2004315978.tif 000037
【図３６】
2004315978.tif 000038
【図３７】
2004315978.tif 000039
【図３８】
2004315978.tif 000040
【図３９】
2004315978.tif 000041
【図４０】
2004315978.tif 000042
【図４１】
2004315978.tif 000043
【図４２】
2004315978.tif 000044
【図４３】
2004315978.tif 000045